(57)【特許請求の範囲】
【請求項１】
開口部が設けられた筐体と、
上記筐体に設けられたキーボードと、
上記筐体に着脱可能に取り付けられ、上記キーボードの端部を支持し、上記開口部を覆うキーボードホルダと、
上記筐体内に収容された放熱フィンと、
上記放熱フィンに風を送る冷却ファンと、
上記開口部に向かい合う部分を有し、上記筐体内で片持ち支持され、上記冷却ファンと上記放熱フィンとの間の空間の少なくとも一部を少なくとも一方から覆うフィルム部材と、
を具備することを特徴とする電子機器。
【請求項２】
着脱可能に取り付けられた部品に覆われる開口部が設けられた筐体と、
上記筐体内に収容された放熱フィンと、
上記放熱フィンに風を送る冷却ファンと、
上記開口部に向かい合う部分を有し、上記冷却ファンと上記放熱フィンとの間の空間の少なくとも一部を少なくとも一方から覆うフィルム部材と、
を具備することを特徴とする電子機器。
【請求項３】
請求項２に記載の電子機器において、
上記筐体は、上記開口部に隣接し、上記冷却ファンと上記放熱フィンとの間の空間とは反対側から上記フィルム部材に向かい合う部分に、上記部品が固定される固定部を有したことを特徴とする電子機器。
【請求項４】
請求項２に記載の電子機器において、
上記筐体に収容された回路基板と、
前記回路基板に実装され、前記放熱フィンに熱的に接続された電子部品と、備え、
前記開口部を覆う部品は、前記回路基板との間で信号が流れる部品であることを特徴とする電子機器。
【請求項５】
請求項２に記載の電子機器において、
上記開口部は、上記フィルム部材の外形よりも小さく、
上記フィルム部材は、上記開口部の周縁の少なくとも一部に沿う切込みが設けられたことを特徴とする電子機器。
【請求項６】
請求項２に記載の電子機器において、
上記フィルム部材とは反対側から上記空間の少なくとも一部を覆う他のフィルム部材を備えることを特徴とする電子機器。
【請求項７】
請求項６に記載の電子機器において、
上記フィルム部材と上記他のフィルム部材との間に介在されるとともに、上記フィルム部材および上記他のフィルム部材とは異なる方向から上記空間の少なくとも一部を覆う弾性部材を備えることを特徴とする電子機器。
【請求項８】
請求項２に記載の電子機器において、
上記筐体の内壁面から起立するとともに上記冷却ファンが接するリブを備え、
上記リブは、上記フィルム部材とは異なる方向から上記空間の少なくとも一部を覆うことを特徴とする電子機器。
【請求項９】
スピーカが着脱可能に取り付けられる開口部が設けられた筐体と、
上記筐体内に収容された放熱フィンと、
上記放熱フィンに風を送る冷却ファンと、
上記開口部に向かい合う部分を有し、上記冷却ファンと上記放熱フィンとの間の空間の少なくとも一部を少なくとも一方から覆うフィルム部材と、
を具備することを特徴とする電子機器。
【発明の詳細な説明】
【技術分野】
【０００１】
本発明は、放熱構造を備えた電子機器に関する。
【背景技術】
【０００２】
ポータブルコンピュータのような電子機器は、例えばＣＰＵを冷却するための放熱フィンと冷却ファンとを備える。冷却ファンは、空気とともに筐体内の埃を吸い込み、その埃を放熱フィンに向けて吐出する。そのため、冷却ファンに対向する放熱フィンの面には埃が溜まる。放熱フィンに埃が溜まると、放熱フィンの放熱効率が低下し、ＣＰＵの性能が低下してしまう。
【０００３】
特許文献１には、冷却ファンの吐出口と放熱フィンとの間に集塵部材を備えた電子機器が開示されている。電子機器の外壁には開口部が形成されている。集塵部材は、上記開口部に着脱自在に装着され、冷却ファンの吐出口と放熱フィンとの間に配置される。
【特許文献１】特開２００７−１８９１８３号公報
【発明の開示】
【発明が解決しようとする課題】
【０００４】
上記集塵部材のような埃除去用の専門部品を設けると、電子機器の構造が複雑になり、筐体内の実装密度が小さくなるおそれがある。
【０００５】
本発明の目的は、実装密度の向上を図ることができる電子機器を得ることにある。
【課題を解決するための手段】
【０００６】
本発明の一つの形態に係る電子機器は、着脱可能に取り付けられた部品に覆われる開口部が設けられた筐体と、上記筐体内に収容された放熱フィンと、上記放熱フィンに風を送る冷却ファンと、上記開口部に向かい合う部分を有し、上記冷却ファンと上記放熱フィンとの間の空間の少なくとも一部を少なくとも一方から覆うフィルム部材と、を具備する。
【発明の効果】
【０００７】
本発明によれば、電子機器の実装密度の向上を図ることができる。
【発明を実施するための最良の形態】
【０００８】
以下に、本発明の実施の形態をポータブルコンピュータに適用した図面に基づいて説明する。図１ないし図１０は、本発明の第１の実施形態に係る電子機器としてのポータブルコンピュータ１を開示している。図１に示すように、ポータブルコンピュータ１は、本体２と表示ユニット３とを備えている。
【０００９】
本体２は、箱状に形成された筐体４を有する。筐体４は、上壁４ａ、周壁４ｂ、および底壁４ｃを有する。筐体４は、上壁４ａを含む筐体カバー５と、底壁４ｃを含む筐体ベース６とを有する。筐体カバー５は、筐体ベース６に対して上方から着脱自在に組み合わされ、筐体ベース６との間に収容空間を形成している。
【００１０】
図１に示すように、ポータブルコンピュータ１は、キーボード７と、キーボードホルダ８とを備える。上壁４ａには、キーボード７が載置されるキーボード載置部９が設けられている。キーボードホルダ８は、上壁４ａに着脱自在に取り付けられる。キーボードホルダ８は、キーボード載置部９に載置されたキーボード７の一端部を上方から押さえ、キーボード７をキーボード載置部９に固定する。キーボードホルダ８の下方には、スピーカ１０が実装されている。
【００１１】
表示ユニット３は、ディスプレイハウジング１２と、このディスプレイハウジング１２に収容された表示装置１３とを備えている。表示装置１３は、表示画面１３ａを有する。表示画面１３ａは、ディスプレイハウジング１２の前面の開口部１２ａを通じてディスプレイハウジング１２の外部に露出している。
【００１２】
表示ユニット３は、筐体４の後端部に一対のヒンジ部１４ａ，１４ｂを介して支持されている。そのため、表示ユニット３は、上壁４ａを上方から覆うように倒される閉じ位置と、上壁４ａを露出させるように起立する開き位置との間で回動可能である。
【００１３】
図２は、筐体４の内部を示す。図２に示すように、筐体４には、回路基板１６が収容されている。この回路基板１６には、発熱体１７が実装されている。発熱体１７の一例は、ＣＰＵである。なお発熱体１７はＣＰＵに限らず、例えばグラフィックチップ、ノース・ブリッジ（登録商標）、またはメモリなど使用時に冷却が望まれる種々の部品が広く該当する。
【００１４】
図２に示すように、ポータブルコンピュータ１は、例えば発熱体１７の冷却を促進する放熱ユニット１８を有する。図３は、この放熱ユニット１８を一部分解して示す。図３に示すように、放熱ユニット１８は、冷却ファン２１、放熱フィン２２、受熱部材２３、および熱移送部材２４を有する。
【００１５】
図３に示すように、筐体４の周壁４ｂの一部、例えば後壁４ｂａには、排気孔２５が開口している。冷却ファン２１は、上記排気孔２５に対向するようにして筐体４内に収容されている。冷却ファン２１は、ファンケース２６と、このファンケース２６内で回転駆動されるインペラ２７とを有する。ファンケース２６は、筐体４内に開口する吸気口２６ａと、筐体４の排気孔２５に対向する吐出口２６ｂとを有する。冷却ファン２１は、吸気口２６ａを通じて筐体４内の空気をファンケース２６の内部に取り込むとともに、この取り込んだ空気を吐出口２６ｂから排気孔２５に向けて吐出する。
【００１６】
放熱フィン２２は、筐体４内に収容されるとともに、冷却ファン２１の吐出口２６ｂと筐体４の排気孔２５との間に配置されている。すなわち冷却ファン２１は、放熱フィン２２に向かって空気を吐出し、これにより放熱フィン２２を冷却する。放熱フィン２２は、それぞれ板状に形成された複数のフィン片２８が集合して形成されている。各フィン片２８の板面は、冷却ファン２１から吐出される空気の流れ方向に沿っている。冷却ファン２１から吐出された空気は、放熱フィン２２を通過する過程で放熱フィン２２から熱を奪うとともに、筐体４の排気孔２５から筐体４の外部に排気される。
【００１７】
受熱部材２３は、例えば金属のような熱伝導性の高い材質で形成されているとともに、発熱体１７に対向して配置されている。受熱部材２３は、例えば伝熱グリスなどの伝熱材を介して発熱体１７に熱的に接続され、発熱体１７から熱を受け取る。熱移送部材２４は、受熱部材２３と放熱フィン２２との間に亘って設けられるとともに、受熱部材２３が受熱した熱を放熱フィン２２まで移送する。熱移送部材２４の一例は、ヒートパイプである。
【００１８】
図６に示すように、冷却ファン２１は、放熱フィン２２との間に空間Ｓを空けて配置されている。空間Ｓの一例は、例えば小型の掃除機やピンセットといった清掃用品２９の先端が挿入可能な大きさを有する。
【００１９】
ポータブルコンピュータ１は、冷却ファン２１と放熱フィン２２との間に亘って設けられたダクト構造３０を有する。ダクト構造３０は、冷却ファン２１から吐出された空気を放熱フィン２２に向けて案内する。本実施形態に係るダクト構造３０は、第１および第２のフィルム部材３１，３２、弾性部材３３、およびリブ３４を有する。
【００２０】
図２および図６に示すように、第１のフィルム部材３１は、冷却ファン２１から放熱フィン２２に向かう方向に沿って延びるとともに、冷却ファン２１と放熱フィン２２との間の空間を一方から覆っている。詳しくは、第１のフィルム部材３１は、放熱フィン２２の上面２２ａから冷却ファン２１の上面２１ａに亘って設けられ、上記空間Ｓの上方を全部覆っている。第１のフィルム部材３１は、例えば放熱フィン２２の長手方向に沿って上記空間Ｓの上方を全て覆っている。
【００２１】
第１のフィルム部材３１は、可撓性を有するとともに、筐体４内で片持ち支持されている。詳しくは、第１のフィルム部材３１は、放熱フィン２２の上面２２ａに対向する第１の端部３１ａと、冷却ファン２１の上面２１ａに対向する第２の端部３１ｂとを有する。第１の端部３１ａは、いわゆる固定端であり、放熱フィン２２の上面２２ａに固定されている。第２の端部３１ｂは、いわゆる自由端であり、冷却ファン２１の上面２１ａには固定されていない。
【００２２】
放熱フィン２２に対する第１の端部３１ａの固定方法は、例えば接着剤や両面接着テープによる。なおこの第１の端部３１ａの固定方法は、上記に限定されるものではなく、種々の固定方法を適宜採用することができる。また上記構成に代えて、第１の端部３１ａを自由端にするとともに、第２の端部３１ｂを冷却ファン２１の上面２１ａに固定することで第１のフィルム部材３１を片持ち支持してもよい。
【００２３】
ここで本発明でいう「空間を覆う」とは、空間の全部を覆うことに加えて、空間の一部を覆うことも含む。本実施形態では、第１のフィルム部材３１は、冷却ファン２１の上面２１ａまで達するとともに、上記空間Ｓの上方を全部覆っている。なお第１のフィルム部材３１は、上記空間Ｓの上方を全部覆う必要は必ずしもない。第１のフィルム部材３１は、上記空間Ｓの一部だけを一方から覆っていてもよい。その一例として、第１のフィルム部材３１は、冷却ファン２１の上面２１ａまで達していなくてもよい。
【００２４】
第１のフィルム部材３１は、上記空間Ｓを覆う第１の姿勢と、上記空間Ｓを筐体４内に開放する第２の姿勢との間で変形可能である。本実施形態では、第１のフィルム部材３１は、第２の端部３１ｂが冷却ファン２１の上面２１ａに対向するとともに、上記空間Ｓの上方を塞いでいる第１の姿勢（図６参照）と、この第１の姿勢から上記第２の端部３１ｂが上方に向けて持ち上げられて、上記空間Ｓの上方が開放され、上記空間Ｓが筐体４内に連通する第２の姿勢（図１０参照）との間で変形可能である。
【００２５】
図２に示すように、第１のフィルム部材３１の一例は、冷却ファン２１から放熱フィン２２に向かう方向に沿って延びる例えば複数の切込み（すなわち、スリット）３６ａ，３６ｂ，３６ｃを有する。切込み３６ａ，３６ｂ，３６ｃは、例えば第２の端部３１ｂの縁から第１の端部３１ａに向かって、第１のフィルム部材３１の中央部まで延びている。換言すれば、図４に示すように、切込み３６ａ，３６ｂ，３６ｃは、第１のフィルム部材３１のなかで上記空間Ｓに対向する領域に設けられている。
【００２６】
図４に示すように、いくつかの切込み３６ａ，３６ｃは、冷却ファン２１から放熱フィン２２に向かう方向に沿って直線状に形成されている。一方、他の切込み３６ｂの例えば途中の一部は、切込み３６ａ，３６ｃに対して斜めに交差する方向に沿って延びている。なおこの切込み３６ｂの形状については詳しく後述する。第１のフィルム部材３１の一例は、インシュレータである。
【００２７】
一方、図６に示すように、第２のフィルム部材３２は、第１のフィルム部材３１とは反対側から上記空間Ｓを覆う。第２のフィルム部材３２は、本発明でいう「他のフィルム部材」の一例である。詳しくは、第２のフィルム部材３２は、冷却ファン２１の下面２１ｂから放熱フィン２２の下面２２ｂに亘って設けられ、上記空間Ｓの下方を全部覆っている。第２のフィルム部材３２は、例えば放熱フィン２２の長手方向に沿って上記空間Ｓの下方を全て覆っている。
【００２８】
第２のフィルム部材３２は、例えば筐体４内に片持ち支持されている。詳しくは、第２のフィルム部材３２は、冷却ファン２１の下面２１ｂに対向する第１の端部３２ａと、放熱フィン２２の下面２２ｂに対向する第２の端部３２ｂとを有する。第１の端部３２ａは、いわゆる固定端であり、冷却ファン２１の下面２１ｂに固定されている。第２の端部３２ｂは、いわゆる自由端であり、放熱フィン２２の下面２２ｂには固定されていない。
【００２９】
冷却ファン２１に対する第１の端部３２ａの固定方法は、例えば接着剤や両面接着テープによる。なおこの第１の端部３２ａの固定方法は、第１のフィルム部材３１の第１の端部３１ａと同様に特に限定されない。また、上記構成に代えて、第１の端部３２ａを自由端にするとともに、第２の端部３２ｂを放熱フィン２２の下面２２ｂに固定することで第２のフィルム部材３２を片持ち支持してもよい。また、第２のフィルム部材３２は、第１の端部３２ａが冷却ファン２１に固定されるとともに、第２の端部３２ｂが放熱フィン２２に固定され、両端支持されていてもよい。
【００３０】
本実施形態では、第２のフィルム部材３２は、放熱フィン２２の下面２２ｂまで達するとともに、上記空間の下方を全部覆っている。なお第２のフィルム部材３２は、上記空間Ｓの下方を全部覆う必要は必ずしもない。第２のフィルム部材３２は、上記空間Ｓの一部だけを一方から覆っていてもよい。その一例として、第２のフィルム部材３２は、放熱フィン２２の下面２２ｂまで達していなくてもよい。第２のフィルム部材３２の一例は、インシュレータである。
【００３１】
図３および図７に示すように、上記空間Ｓの一方の側方には、弾性部材３３が設けられている。弾性部材３３は、例えば上記空間Ｓの高さに対応して設けられ、第１および第２のフィルム部材３１，３２の間に介在されている。すなわち弾性部材３３は、第１のフィルム部材３１と第２のフィルム部材３２との間に亘って設けられ、上記第１および第２のフィルム部材３１，３２とは異なる方向から上記空間Ｓの一方を覆っている。
【００３２】
弾性部材３３は、例えば吐出口２６ｂが開口する冷却ファン２１の側面２１ｃから、冷却ファン２１に対向する放熱フィン２２の側面２２ｃに亘って設けられ、空間Ｓの一方を全部覆っている。なお弾性部材３３は、空間Ｓの一部だけを覆っていてもよい。弾性部材３３は、第１および第２のフィルム部材３１，３２の間で弾性変形されて、第１のフィルム部材３１とこの弾性部材３３との間、および第２のフィルム部材３２とこの弾性部材３３との間の隙間を塞ぐ。弾性部材３３の一例は、スポンジゴムである。
【００３３】
一方、図３および図７に示すように、上記空間Ｓの他の一方の側方には、リブ３４が立設され、第１のフィルム部材３１とは異なる方向から上記空間Ｓを覆っている。詳しくは、リブ３４は、例えば筐体４の底壁４ｃの内壁面４ｃａから筐体４内に起立するとともに、上記弾性部材３３とは反対側から上記空間Ｓを覆っている。リブ３４は、例えば上記空間Ｓの側方から冷却ファン２１の側方に亘り延びている。リブ３４には、冷却ファン２１の側面が接している。冷却ファン２１は、例えばこのリブ３４を利用して位置合わせが行われる。なおリブ３４は、上記空間Ｓの一方を全部覆っていてもよいし、上記空間Ｓの一部を覆っていてもよい。
【００３４】
図７に示すように、上述の第１および第２のフィルム部材３１，３２、弾性部材３３、およびリブ３４によって上記空間Ｓを四方から取り囲むとともに、冷却ファン２１から吐出される空気を筐体４内の他の空間にほとんど漏らすことなく放熱フィン２２まで案内するダクト構造３０が形成されている。詳しくは、第２のフィルム部材３２、弾性部材３３、およびリブ３４によって上記空間Ｓを三方から取り囲む非可動部分４１が形成されている。さらに第１のフィルム部材３１によって、上記空間Ｓを筐体４内に開閉する可動部分４２が形成されている。
【００３５】
図８は、筐体４からキーボードホルダ８およびスピーカ１０を取り外した状態を示す。図９に示すように、第１のフィルム部材３１に対向する上壁４ａの後端部には、それぞれ筐体４内に開口する例えば二つの開口部４５，４６が設けられている。この第１および第２の開口部４５，４６は、第１のフィルム部材３１の上方に設けられている。第１のフィルム部材３１は、第１および第２の開口部４５，４６を通じて筐体４の外部に露出される。
【００３６】
第１の開口部４５は、例えば第１のフィルム部材３１の外形よりも小さな形状を有する。第１の開口部４５の一例は、上記スピーカ１０が着脱自在に取り付けられるスピーカ収容部である。第１の開口部４５は、スピーカ１０の外形に沿う円状に形成されている。スピーカ１０が取り付けられた時、第１の開口部４５はスピーカ１０によって筐体４の外部から塞がれる。  
図４に、第１の開口部４５の外形を二点鎖線で示す。図４に示すように、第１のフィルム部材３１に設けられた切込み３６ｂは、第１の開口部４５の周縁４５ａの内側に沿って形成されている。
【００３７】
一方、図９に示すように、第２の開口部４６は、例えば矩形状に形成されている。キーボードホルダ８が取り付けられた時、第２の開口部４６はキーボードホルダ８によって筐体４の外部から塞がれる。第１の開口部４５と第２の開口部４６との間には、スピーカ１０を支持するスピーカ支持部材４７が固定される固定部４８が設けられている。
【００３８】
次に、ポータブルコンピュータ１の作用について説明する。  
冷却ファン２１は、放熱フィン２２を冷却する時、空気とともに筐体４内の埃を吸い込み、その埃を放熱フィン２２に向けて吐出する。そのため、冷却ファン２１と放熱フィン２２との間の空間、特に冷却ファン２１に対向する放熱フィン２２の側面２２ｃに埃が溜まることがある。
【００３９】
この埃を取り除く作業を行うにあたっては、まずキーボードホルダ８を筐体４から取り外し、次いでスピーカ１０を第１の開口部４５から取り外す。これにより、第１および第２の開口部４５，４６を通じて第１のフィルム部材３１が筐体４の外部に露出される。そして、図１０に示すように、開口部４５，４６を通じて第１のフィルム部材３１の第２の端部３１ｂを持ち上げ、上記空間Ｓを筐体４の外部に露出させる。この第１のフィルム部材３１の自由端を持ち上げた状態で、空間Ｓに例えば小型の掃除機やピンセットといった清掃用品２９の先端を挿入し、冷却ファン２１と放熱フィン２２との間の空間に溜まった埃を取り除く。
【００４０】
これにより放熱フィン２２の放熱効率の低下を抑制し、例えばＣＰＵのような発熱体１７の冷却を促進し、この発熱体１７の本来の性能を発揮させることができる。
【００４１】
このような構成のポータブルコンピュータ１によれば、実装密度の向上を図ることができる。すなわち、冷却ファン２１から放熱フィン２２に向かう方向に沿って延びるとともに、冷却ファン２１と放熱フィン２２との間の空間Ｓの少なくとも一部を少なくとも一方から覆うフィルム部材３１を備えると、冷却ファン２１を放熱フィン２２から離して配置しても、冷却ファン２１は放熱フィン２２に向けて空気を効率的に送ることができる。すなわち、フィルム部材３１を設けることで、埃取りを可能とする空間Ｓを冷却ファン２１と放熱フィン２２との間に形成するとともに、この空間Ｓを形成したことによる送風効率の低下を抑制することができる。
【００４２】
ここで、フィルム部材３１は、筐体４内に実装される他の部品に比べて薄く、筐体４内の実装構造を考える際に実質的に厚さを無視することができる。さらにフィルム部材３１は、例えば接着剤や両面接着テープなどによって取り付けが可能であり、例えば放熱フィン２２や冷却ファン２１に直接貼り付けることもできる。このようにフィルム部材３１は、非常に簡単な固定構造で実装することが可能であり、筐体４内の実装構造を考える際にフィルム部材３１の固定構造などを考慮する必要がほとんどない。
【００４３】
したがって、このフィルム部材３１を設けることによって電子機器の構造が複雑になることはなく、筐体４内の実装密度の向上を図ることができるポータブルコンピュータ１が提供される。
【００４４】
さらにフィルム部材３１は、例えば集塵用の専門部品またはダクトを形成する専門部品を筐体４内に実装する場合に比べて非常に安価であり、また汎用性にも優れている。したがって専門部品に代えてフィルム部材３１を採用することで、低コストであり、さらに軽量化が可能なポータブルコンピュータ１を得ることができる。フィルム部材３１は、例えば放熱フィン２２のどの面に貼り付けても上記役割を果たすので使用に関する自由度が高い。
【００４５】
なお、ダクト構造３０の一部を構成する非可動部分４１は必ずしも必要な部材ではない。第１のフィルム部材３１を備えるだけで、放熱フィン２２に対するある程度の送風効率を確保することができる。本実施形態では、フィルム部材３１は上記空間Ｓを一方から覆っているが、フィルム部材３１は二方向以上から上記空間Ｓを覆っていてもよい。フィルム部材３１は、筐体４内で両端固定されていてもよい。上記空間Ｓを覆う部材をフィルム部材３１で形成することで、実装密度の向上を図ることはできる。
【００４６】
フィルム部材３１が、可撓性を有するとともに筐体４内で片持ち支持されていると、フィルム部材３１を取り外すことなく、埃取りを行うことができる。すなわちフィルム部材３１の自由端を持ち上げるだけで（すなわち、めくるだけで）上記空間Ｓを簡単に露出させることができる。これによりメンテナンス性（すなわちメンテナンスのしやすさ）を向上させたポータブルコンピュータ１が得られる。
【００４７】
筐体４がフィルム部材３１に対向する領域に開口部４５，４６を有すると、筐体４を分解することなく上記空間Ｓを筐体４の外部に露出させることができる。すなわちこの開口部４５，４６を通じて筐体４の外部から上記空間Ｓの埃を取り除くことができる。これはポータブルコンピュータ１のメンテナンス性の向上に寄与する。
【００４８】
なお開口部４５，４６は必ずしも必要ではない。例え開口部４５，４６がなくても、筐体ベース６から筐体カバー５を取り外すだけで、フィルム部材３１自体を取り外すことなく埃取りを行うことができる。これにより、メンテナンスが容易なポータブルコンピュータ１が提供される。
【００４９】
フィルム部材３１が冷却ファン２１から放熱フィン２２に向かう方向に沿って延びる切込み３６ａ，３６ｂ，３６ｃを有すると、フィルム部材３１をめくり上げやすくなる。例えば二つ以上の切込み３６ａ，３６ｂ，３６ｃが設けられていると、第１のフィルム部材３１の全体を撓ませて持ち上げる代わりに、上記切込み３６ａ，３６ｂ，３６ｃの間の部分を部分的に撓ませることで空間Ｓを露出させることができる。これはメンテナンス性の向上に寄与する。
【００５０】
特に上記開口部４５，４６がフィルム部材３１の外形よりも小さな形状を有するとき、切込み３６ａ，３６ｂ，３６ｃが形成されていると、開口部４５，４６に対応するフィルム部材３１の一部だけを持ち上げて埃取りを行うこともできる。上記切込み３６ｂが上記開口部４５の周縁４５ａに沿って設けられていると、開口部４５を通じてフィルム部材３１をめくり上げる作業がさらに行いやすくなる。
【００５１】
なお切込み３６ａ，３６ｂ，３６ｃは必ずしも必要ではない。切込み３６ａ，３６ｂ，３６ｃが無くても第１のフィルム部材３１の全体を撓ませて持ち上げることで上記空間Ｓを露出させることができる。また、開口部４５，４６に代えて、第１のフィルム部材３１の外形よりも大きな形状を有する開口部が一つ設けられていてもよい。
【００５２】
例えばダクト構造を備えた専門の集塵部材またはダクト用部材を冷却ファン２１と放熱フィン２２との間に筐体４の外部から着脱自在に取り付ける場合、少なくとも上記集塵部材またはダクト用部材の外形よりも大きな開口部を筐体４に設ける必要がある。すなわちこの大きな開口部が設けられる場所には他の部品を配置しにくく、筐体の実装構造に制約をもたらす。
【００５３】
一方、本実施形態のように、可撓性を有するフィルム部材３１によってダクト構造３０の可動部分４２が形成されていると、大きな開口部は必要なく、例えば比較的小さな開口部４５，４６を複数個設けることによっても、その小さな開口部４５，４６を通じてフィルム部材３１を持ち上げて筐体４の外部から埃取り作業を行うことができる。
【００５４】
さらに言えば、例えばスピーカ１０が収容される開口部４５など、本来他の用途を有する比較的小さな開口部４５を利用して放熱フィン２２の埃取りを行うことができる。換言すれば、フィルム部材３１の上方にスピーカなど他の部品を配置することができる。またフィルム部材３１の上方に例えばスピーカ１０を固定するための固定部４８などを設けることも可能となる。すなわち、筐体設計の自由度を大きい。さらにスピーカ１０やキーボードホルダ８によって開口部４５，４６が塞がれると、別に蓋を設ける必要が無いので実装構造を簡単にできる。
【００５５】
上記フィルム部材３１とは反対側から上記空間Ｓを覆う他のフィルム部材３２を備えると、上記空間Ｓが互いに相対する二方向から覆われることになり、放熱フィン２２に対する送風効率がさらに向上する。
【００５６】
上記フィルム部材３１と上記他のフィルム部材３２との間に介在されるとともに、上記フィルム部材３１および上記他のフィルム部材３２とは異なる方向から上記空間Ｓを覆う弾性部材３３を備えると、上記空間Ｓが三方向から覆われることになり、放熱フィン２２に対する送風効率がさらに向上する。弾性部材３３は、上記フィルム部材３１と上記他のフィルム部材３２と間の隙間に合わせて弾性変形し、弾性部材３３と一方のフィルム部材３１との間、および弾性部材３３と他方のフィルム部材３２との間に隙間が生じにくいので上記送風効率がさらに向上する。
【００５７】
冷却ファン２１の位置合わせに利用されるリブ３４を有効活用し、このリブ３４によって上記フィルム部材３１とは異なる方向から上記空間Ｓを覆うことで、ダクト構造３０を構成する部品点数を少なくすることができる。これにより筐体４内の実装密度の向上をさらに図ることができる。
【００５８】
冷却ファン２１は、放熱フィン２２に比べて、荷重が加わることに対して耐性が小さい。変形される第１のフィルム部材３１を冷却ファン２１ではなく、放熱フィン２２に固定することで、冷却ファン２１の故障を抑制することができる。
【００５９】
次に、本発明の第２の実施形態に係る電子機器としてのポータブルコンピュータ１について、図１１および図１２を参照して説明する。なお上記第１の実施形態と同一または類似の機能を有する構成は、同一の符号を付してその説明を省略する。この第２の実施形態は、上記第１の実施形態に対してダクト構造３０の一部が異なるものであり、ポータブルコンピュータの基本的な構成は上記第１の実施形態と同じである。
【００６０】
ダクト構造３０は、第１のフィルム部材３１、第１のリブ３４、第２のリブ５１、および筐体内壁５２を有する。第１のフィルム部材３１は、例えば上記第１の実施形態と同じものである。第１のリブ３４は、例えば上記第１の実施形態のリブ３４と同じものである。
【００６１】
第２のリブ５１は、例えば筐体４の底壁４ｃの内壁面４ｃａから筐体４内に起立するとともに、第１のリブ３４とは反対側から上記空間Ｓの側方を覆っている。筐体内壁５２は、第１のリブ３４の基端部と第２のリブ５１の基端部との間に亘り設けられている。筐体内壁５２は、第１のフィルム部材３１とは反対側から上記空間Ｓを覆っている。
【００６２】
図１２に示すように、上述の第１のフィルム部材３１、第１および第２のリブ３４，５１、および筐体内壁５２が協働して上記空間Ｓを四方から取り囲んでいる。詳しくは、第１および第２のリブ３４，５１および筐体内壁５２によって上記空間Ｓを三方から取り囲む剛体構造の非可動部分４１が形成されている。さらに第１のフィルム部材３１によって、上記空間Ｓを筐体４内に開閉する可動部分４２が形成されている。
【００６３】
このような構成のポータブルコンピュータ１によっても、上記第１の実施形態と同様に、筐体４内の実装密度の向上を図ることができるとともに、低コスト化、軽量化、およびメンテナンス性の向上に有利なポータブルコンピュータ１を得ることができる。
【００６４】
以上、本発明の第１および第２の実施形態に係るポータブルコンピュータ１について説明したが、本発明はこれらに限られるものでない。各実施形態に係る構成は適宜組み合わせて実施することができる。例えば図１２中に二点差線で示すように、第２の実施形態に係るポータブルコンピュータ１は、第２のフィルム部材３２および弾性部材３３を備えていてもよい。第２のフィルム部材３２や弾性部材３３を備えることで放熱フィン２２に対する送風効率を高めることができる。
【００６５】
ダクト構造３０の非可動部分４１を構成する部材は、上述の第２のフィルム部材３２、弾性部材３３、リブ３４，５１、および筐体内壁５２に限られない。例えば筐体４の周壁４ｂの一部、筐体４の底壁４ｃの一部、上記空間Ｓに隣り合わせで筐体４内に配置された各種部品、上記空間Ｓを覆うように延伸された冷却ファン２１の一部、上記空間Ｓを覆うように延伸された放熱フィン２２の一部、または独立して成形されたダクト用部品などによって非可動部分４１の全部または一部を形成してもよい。
【００６６】
上記第１および第２の実施形態では、第１のフィルム部材３１がダクト構造３０の可動部分４２を形成するとともに、第２のフィルム部材３２がダクト構造３０の非可動部分４１の一部を形成しているが、第２のフィルム部材３２がダクト構造３０の可動部分４２を形成してもよい。この場合は、例えば着脱可能な蓋で覆われた開口部が筐体４の底壁４ｃに設けられてもよい。
以下にいくつかの電子機器を付記する。
［１］、筐体と、上記筐体内に収容された放熱フィンと、上記放熱フィンとの間に空間を空けて上記筐体内に収容されるとともに、上記放熱フィンに向けて空気を吐出する冷却ファンと、上記冷却ファンから上記放熱フィンに向かう方向に沿って延びるとともに、上記冷却ファンと上記放熱フィンとの間の空間の少なくとも一部を少なくとも一方から覆うフィルム部材と、を具備することを特徴とする電子機器。
［２］、［１］の記載において、上記フィルム部材は、可撓性を有するとともに、上記筐体内で片持ち支持されていることを特徴とする電子機器。
［３］、［２］の記載において、上記筐体は、上記フィルム部材に対向する領域に開口部を有することを特徴とする電子機器。
［４］、［３］の記載において、上記フィルム部材は、上記冷却ファンから上記放熱フィンに向かう方向に沿って延びる切込みを有することを特徴とする電子機器。
［５］、［４］の記載において、上記開口部は、上記フィルム部材の外形よりも小さな形状を有し、上記切込みは、上記開口部の周縁に沿って設けられていることを特徴とする電子機器。
［６］、［５］の記載において、スピーカを備え、上記開口部は、上記スピーカが着脱自在に取り付けられるスピーカ収容部であることを特徴とする電子機器。
［７］、［６］の記載において、上記フィルム部材とは反対側から上記空間の少なくとも一部を覆う他のフィルム部材を備えることを特徴とする電子機器。
［８］、［７］の記載において、上記フィルム部材と上記他のフィルム部材との間に介在されるとともに、上記フィルム部材および上記他のフィルム部材とは異なる方向から上記空間の少なくとも一部を覆う弾性部材を備えることを特徴とする電子機器。
［９］、［６］の記載において、上記筐体の内壁面から起立するとともに上記冷却ファンが接するリブを備え、上記リブは、上記フィルム部材とは異なる方向から上記空間の少なくとも一部を覆うことを特徴とする電子機器。
【図面の簡単な説明】
【００６７】
【図１】本発明の第１の実施形態に係るポータブルコンピュータの斜視図。
【図２】図１中に示されたポータブルコンピュータの筐体内部の斜視図。
【図３】図１中に示されたポータブルコンピュータの筐体内部を一部分解した斜視図。
【図４】図１中に示されたポータブルコンピュータの筐体内部の平面図。
【図５】図１中に示されたポータブルコンピュータの筐体内部の斜視図。
【図６】図２中に示されたポータブルコンピュータのＦ６−Ｆ６線に沿う断面図。
【図７】図６中に示されたポータブルコンピュータのＦ７−Ｆ７線に沿う断面図。
【図８】図１中に示されたポータブルコンピュータからキーボードホルダおよびスピーカを取り外した状態を示す斜視図。
【図９】図８中に示されたポータブルコンピュータの開口部回りを示す斜視図。
【図１０】図１中に示されたポータブルコンピュータの第１のフィルム部材を変形させた状態を示す断面図。
【図１１】本発明の第２の実施形態に係るポータブルコンピュータの筐体内部の斜視図。
【図１２】図１１中に示されたポータブルコンピュータのＦ１２−Ｆ１２線に沿う断面図。
【符号の説明】
【００６８】
Ｓ…空間、１…ポータブルコンピュータ、４…筐体、４ｃａ…内壁面、０…スピーカ、２１…冷却ファン、２２…放熱フィン、３０…ダクト構造、３１…第１のフィルム部材、３２…第２のフィルム部材、３３…弾性部材、３４，５１…リブ、４５，４６…開口部。
【図１】
0004829192.tif 000002
【図２】
0004829192.tif 000003
【図３】
0004829192.tif 000004
【図４】
0004829192.tif 000005
【図５】
0004829192.tif 000006
【図６】
0004829192.tif 000007
【図７】
0004829192.tif 000008
【図８】
0004829192.tif 000009
【図９】
0004829192.tif 000010
【図１０】
0004829192.tif 000011
【図１１】
0004829192.tif 000012
【図１２】
0004829192.tif 000013